(57)【特許請求の範囲】
【請求項１】
押圧部を有する可動体と、該可動体を待機位置と押圧位置との間で押圧方向に移動自在に支持する支持体と、前記押圧位置で前記可動体の押圧方向への移動を規制する規制手段と、前記可動体を前記待機位置に付勢する付勢手段と、前記可動体の押圧を検知する検知手段と、を含む操作手段を備えた遊技機において、
前記可動体を前記押圧方向に案内する案内手段と、
該案内手段に前記可動体の傾きによる過大な荷重が加わらないように前記可動体の傾きを所定角度内に牽制する牽制手段とを備え、
前記牽制手段は、
前記可動体が前記待機位置から前記押圧位置へと移動する場合において、該押圧位置で前記規制手段による移動規制を受けるより前に前記可動体の傾きを前記所定角度内に牽制する位置に配置した
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
例えばパチンコ機等の遊技機では、遊技者の遊技への関与意識を高めて興趣を増大させるため、発射ハンドル等とは別にボタン操作式の演出操作手段を設け、図柄変動中等の操作可能期間中に遊技者がその演出操作手段を操作することにより所定の演出を行う、いわゆるボタン操作演出の機能を搭載したものが多くなっている。
【０００３】
このようなボタン操作演出等に使用される演出操作手段は、押圧部を有する可動体と、可動体を待機位置と押圧位置との間で押圧方向に移動自在に支持する支持体と、可動体の押圧を検知する検知手段とを備え、遊技者が可動体を押圧したときに、検知手段がその押圧を検知してボタン演出信号を送信するようになっている。
【０００４】
この種の演出操作手段は、可動体の内周壁とその外周の支持体の外周壁との間に案内手段を設けて、この案内手段により可動体を支持体に対して押圧方向に移動自在に支持しているが、内周壁と外周壁との略全周で一つの案内手段を構成したもの（特許文献１）と、内周壁と外周壁との周方向の複数箇所に案内手段を配置したもの（特許文献２）とがある。
【先行技術文献】
【特許文献】
【０００５】
【特許文献１】特開2013−56225 号公報
【特許文献２】特開2011−78490 号公報
【発明の概要】
【発明が解決しようとする課題】
【０００６】
従来の演出操作手段では、何れの案内形態を採用した場合にも、案内部、被案内部の摺動面間の間隔を小さくすれば、可動体のグラツキを小さく抑えることができる。しかし、前者の案内手段と後者の案内手段とで程度の差はあるものの、摺動面間の間隔が小さくなれば摩擦抵抗が大きくなるため、その摩擦抵抗に抗して可動体を押圧する必要があり、大きな押圧力を要するという問題がある。
【０００７】
一方、案内手段の摺動面間の間隔を大にすれば、摺動面の摩擦抵抗が小さくなり可動体を軽く押圧できるが、可動体のグラツキが大になり、押圧部の押圧中心から外れた位置を押圧したときに、可動体が大きく傾斜して案内手段の案内部と被案内部との間で拗れが生じる等、スムーズに操作しづらくなるという問題がある。
【０００８】
また摺動面間の間隔を大にしながら、案内手段自体で可動体のグラツキを阻止する場合には、案内手段の許容範囲内で可動体が押圧方向に大きく傾いた後に、案内手段の案内方向の一端側では案内部の角部が被案内部の摺動面に、他端側では被案内部の角部が案内部の摺動面に夫々当接して、その傾きで可動体のグラツキを阻止することになる。そのため可動体が傾く都度、案内手段の案内部、被案内部の当接箇所に過大な負荷が加わることとなり、長期間の継続的な使用によって案内手段自体が損傷するなどの問題もある。
【０００９】
更に案内手段の長さを長くすれば、案内手段の摺動面間の間隔を大きくしながらも、案内手段の一部の案内部、被案内部の当接箇所での過大な負荷の発生を防止することができ、案内手段により可動体のグラツキを抑えることが可能である。しかし、この場合には、案内手段の長さが長くなるため、演出操作手段全体が大型化する問題がある。
【００１０】
本発明は、このような従来の課題に鑑み、押圧方向の寸法の小型化を図りながら、押圧部を押圧したときの可動体のグラツキを小さくでき、軽い押圧力でスムーズに操作できる操作手段を備えた遊技機の提供を目的とする。
【課題を解決するための手段】
【００１１】
本発明は、押圧部を有する可動体と、該可動体を待機位置と押圧位置との間で押圧方向に移動自在に支持する支持体と、前記押圧位置で前記可動体の押圧方向への移動を規制する規制手段と、前記可動体を前記待機位置に付勢する付勢手段と、前記可動体の押圧を検知する検知手段と、を含む操作手段を備えた遊技機において、前記可動体を前記押圧方向に案内する案内手段と、該案内手段に前記可動体の傾きによる過大な荷重が加わらないように前記可動体の傾きを所定角度内に牽制する牽制手段とを備え、前記牽制手段は、前記可動体が前記待機位置から前記押圧位置へと移動する場合において、該押圧位置で前記規制手段による移動規制を受けるより前に前記可動体の傾きを前記所定角度内に牽制する位置に配置したものである。
【発明の効果】
【００１７】
本発明によれば、押圧方向の寸法の小型化を図りながら、押圧部を押圧したときの可動体のグラツキを小さくでき、軽い押圧力でスムーズに操作できる利点がある。
【図面の簡単な説明】
【００１８】
【図１】本発明の第１の実施形態を示すパチンコ機の全体正面図である。
【図２】同前面板側の平面図である。
【図３】同第１演出操作手段の側面断面図である。
【図４】同第１演出操作手段の正面断面図である。
【図５】同第１演出操作手段の平面断面図である。
【図６】同第１演出操作手段の可動体の分解斜視図である。
【図７】同第１演出操作手段の支持体の一部破断斜視図である。
【図８】同第１演出操作手段の動作説明図である。
【図９】同演出表示の説明図である。
【図１０】本発明の第２の実施形態を示す第１演出操作手段の正面断面図である。
【図１１】本発明の第３の実施形態を示す第１演出操作手段の可動体の斜視図である。
【図１２】同第１演出操作手段の平面断面図である。
【図１３】本発明の第４の実施形態を示す第１演出操作手段の可動体の斜視図である。
【図１４】同第１演出操作手段の平面断面図である。
【図１５】本発明の第５の実施形態を示す第１演出操作手段の平面断面図である。
【図１６】本発明の第６の実施形態を示す第１演出操作手段の平面断面図である。
【図１７】同第１演出操作手段の側面断面図である。
【図１８】同可動体の破断斜視図である。
【図１９】本発明の第７の実施形態を示す第１演出操作手段の平面断面図である。
【図２０】同第１演出操作手段の側面断面図である。
【図２１】本発明の第８の実施形態を示す第１演出操作手段の正面断面図である。
【発明を実施するための形態】
【００１９】
以下、本発明の各実施形態を図面に基づいて詳述する。
【００２０】
図１〜図９は本発明をパチンコ機に採用した第１の実施形態を例示する。パチンコ機１は図１に示すように矩形状の外枠２と、この外枠２の前側に配置され且つ左右一側のヒンジ３により開閉自在に枢着された前枠４とを備えている。前枠４の前側には、ガラス扉５と前面板６とが上下に配置され、ヒンジ３と同じ側のヒンジ７により前枠４に開閉自在に枢支されている。
【００２１】
前面板６の前側には、図２にも示すように、払い出し手段（図示省略）から払い出された遊技球を貯留して発射手段（図示省略）に供給する供給皿８と、この供給皿８の遊技球が満杯のときに余剰球を受ける余剰受け皿９とが上下に配置され、発射手段を作動させるための発射ハンドル１０が余剰受け皿９の側方に配置されている。
【００２２】
供給皿８はこれを前側から覆う供給皿カバー１１を有し、この供給皿カバー１１の前縁側に第１演出操作手段（第１操作手段）１２と第２演出操作手段（第２操作手段）１３とが装着されている。第１演出操作手段１２は供給皿カバー１１の前縁部の左右一端側に上向きに配置され、第２演出操作手段１３は供給皿カバー１１の前縁部の左右中央側に前上向きに配置されている。
【００２３】
前枠４には、ガラス扉５の後側に対応して遊技盤１７が着脱自在に装着されている。遊技盤１７の前面側には、発射手段から発射された遊技球を遊技領域１９へと案内するガイドレール１８が環状に装着され、また遊技領域１９にセンターケース２０、普通図柄始動手段２１、特別図柄始動手段２２、大入賞手段２３、普通入賞手段２４等の各種の遊技部品が配置されている。
【００２４】
センターケース２０は遊技領域１９の上部に配置されている。センターケース２０には表示窓２０ａに対応して液晶式等の画像表示手段２８が配置され、また表示窓２０ａの外周側の前面に普通図柄表示手段２９、特別図柄表示手段３０、普通保留個数表示手段３１、可動演出体３２等が設けられている。画像表示手段２８は演出図柄表示手段３３、特別保留個数表示手段３４、予告演出画像表示手段３５、報知画像表示手段３６等を構成している。
【００２５】
普通図柄始動手段２１は遊技球の検知を条件に普通図柄表示手段２９の普通図柄の変動を開始させるためのもので、遊技球が通過可能な通過ゲート等により構成され、ガイドレール１８とセンターケース２０との間に配置されている。
【００２６】
特別図柄始動手段２２は遊技球の検知を条件に特別図柄表示手段３０の特別図柄の変動を開始させるためのもので、非開閉型の上特別始動口２２ａと開閉型の下特別始動口２２ｂとを備え、センターケース２０の下側に配置されている。
【００２７】
下特別始動口２２ｂは左右一対の開閉部材等の開閉手段２２ｃを備え、普通図柄表示手段２９の変動後の普通図柄が特定態様となって特定利益状態が発生したときに、開閉手段２２ｃが所定時間及び／又は所定回数だけ開閉するように構成されている。
【００２８】
大入賞手段２３は大入賞口２３ａを開閉するための開閉板２３ｂを備えた開閉式であって、特別図柄始動手段２２の下側に配置されており、特別図柄表示手段３０の変動後の特別図柄が特別態様となって特別利益状態が発生したときに、開閉板２３ｂが所定の開放パターンに従って前側に開放して、上方から落下した遊技球を開閉板２３ｂを経て大入賞口２３ａへと入賞させるようになっている。
【００２９】
普通図柄表示手段２９は普通図柄を変動表示するためのもので、例えば「○」「×」の２種類の普通図柄に対応する２個の発光体（例えばＬＥＤ）により構成されており、普通図柄始動手段２１が遊技球を検知することを条件に各発光体が所定時間交互に点滅して、普通図柄始動手段２１の遊技球の検知時に取得された特定遊技判定乱数値が予め定められた特定遊技判定値と一致する場合には「○」側の発光体が発光する特定態様を停止表示し、それ以外の場合には「×」側の発光体が発光する非特定態様を停止表示するようになっている。
【００３０】
特別図柄表示手段３０は１個又は複数個、例えば１個の特別図柄を変動表示可能な７セグメント式等の表示手段により構成されており、特別図柄始動手段２２が遊技球を検知すること、即ち上下２つの特別始動口２２ａ，２２ｂの何れかに遊技球が入賞することを条件に特別図柄が所定時間変動して、特別始動口２２ａ，２２ｂへの入賞時に取得された特別遊技判定乱数値が予め定められた特別遊技判定値と一致する場合には所定の特別態様を停止表示し、それ以外の場合には非特別態様を停止表示するようになっている。
【００３１】
なお、特別図柄には特別態様及び非特別態様が夫々１種類又は複数種類ずつ設けられている。また各態様には０〜９までの何れかの数字図柄等を割り当ててもよいし、遊技者がその特別図柄の種類を容易に区別できないように、任意の線や点の組み合わせのようなそれ自体としては特別な意味を持たない図柄を割り当ててもよい。
【００３２】
普通保留個数表示手段３１は特定遊技判定乱数値の記憶個数を表示するためのもので、普通図柄表示手段２９の下側に配置されている。そして、この普通保留個数表示手段３１は普通図柄表示手段２９の変動表示中又は特定利益状態中に普通図柄始動手段２１が遊技球を検知したときに、その検知時に取得した特定遊技判定乱数値が所定個数（例えば４個）を限度として記憶されるため、それと同数の発光体の発光により特定遊技判定乱数値の記憶個数を表示して遊技者に報知するようになっている。
【００３３】
演出図柄表示手段３３は特別図柄表示手段３０による特別図柄の変動表示と並行して変動する演出図柄３３ａ〜３３ｃ等を表示するためのもので、各種の背景画像と共に１個又は複数個、例えば左右方向に３個の演出図柄３３ａ〜３３ｃを変動表示可能であり、特別図柄始動手段２２の特別始動口２２ａ，２２ｂの何れかに遊技球が入賞することを条件に、特別図柄の変動開始と同期して所定の変動パターンに従って演出図柄３３ａ〜３３ｃの変動を開始し、特別図柄の変動停止と同時に最終停止するように各演出図柄３３ａ〜３３ｃを左、右、中等の所定の順序で停止させるようになっている。
【００３４】
なお、演出図柄３３ａ〜３３ｃには「０」〜「９」の１０種類の数字図柄が用いられており、演出図柄３３ａ〜３３ｃの変動後の演出態様には、「６・６・６」「７・７・７」等のように各演出図柄３３ａ〜３３ｃが全て同じに揃う特別演出態様と、少なくとも１つの演出図柄３３ａ〜３３ｃが異なる非特別演出態様とがある。また、特別演出態様は特別図柄表示手段３０の変動後の特別態様に、非特別演出態様は特別図柄表示手段３０の変動後の非特別態様に夫々対応する。演出図柄表示手段３３は特別図柄の変動内容とは直接関係のない演出を行う場合があってもよい。
【００３５】
特別保留個数表示手段３４は特別遊技判定乱数値の記憶個数を表示するためのもので、演出図柄表示手段３３の側方に上下方向に配置されている。そして、この特別保留個数表示手段３４は、特別図柄の変動表示中又は特別利益状態中に特別始動口２２ａ，２２ｂに遊技球が入賞したときに、その入賞時に取得した特別遊技判定乱数値が所定数（例えば各４個）を限度として記憶されるため、それと同数の発光部の発光によりその記憶個数（以下、特別保留個数という）を表示して遊技者に報知するようになっている。
【００３６】
予告演出画像表示手段３５は演出図柄表示手段３３の演出図柄３３ａ〜３３ｃの変動中に所定の予告演出表示を行うもので、演出図柄表示手段３３の下側等の所定位置に設けられており、所定の予告演出が選択された場合に、その予告演出に対応する演出画像を表示するように構成されている。
【００３７】
そして、この予告演出画像表示手段３５は、例えば複数種類の予告演出の内の第１ボタン操作演出が選択された場合には、その第１ボタン操作演出中の操作可能期間内に遊技者が第１演出操作手段１２を所定回数操作することにより、その第１演出操作手段１２に対応する予告演出画像を表示するように構成されている。
【００３８】
報知画像表示手段３６は第１ボタン操作演出及び第２ボタン操作演出における操作可能期間中に遊技者にボタン操作を促すための報知を行うもので、演出図柄表示手段３３の下側等の所定位置に設けられている。そして、この報知画像表示手段３６は、第１ボタン操作演出の操作可能期間中には、例えば「チャンスボタンを連打しろ！」等の文言と押しボタンが押されるアニメーション画像とからなる第１操作誘導画像を表示し、第２ボタン操作演出の操作可能期間中には、例えば「パトランプボタンを押せ！」等の文言とドーム型の押しボタンが押されるアニメーション画像とからなる第２操作誘導画像とを夫々表示するように構成されている。
【００３９】
第１ボタン操作演出に使用する第１演出操作手段１２は、左右方向に長い楕円形状の可動体４０を有する押しボタン式であり、複数種類の予告演出の内、その第１ボタン操作演出中の操作可能期間内に第１演出操作手段１２を所定回数有効に操作したときに、予告演出画像表示手段３５に所定の予告演出画像を表示する第１予告演出処理が実行されるようになっている。
【００４０】
第１演出操作手段１２は供給皿カバー１１の前縁部に沿って左右方向に長い楕円形状であって、図３〜図８に示すように、左右方向に長い楕円形状の押圧部４１を有する可動体４０と、供給皿カバー１１に固定され且つ可動体４０支持する支持体４２と、待機位置Ａと押圧位置Ｂとの間で可動体４０を支持体４２に対して押圧方向に移動自在に案内する案内手段４３と、可動体４０を待機位置Ａに付勢する戻しバネ（付勢手段）４４と、可動体４０の押圧を検知する検知手段４６と、可動体４０と支持体４２とを離脱不能に結合する係合手段４７と、可動体４０を押圧位置Ｂに規制する規制手段４８と、可動体４０の傾きを所定角度内に牽制する牽制手段４９とを備え、押圧部４１が前斜め上向きに若干突出した状態で供給皿カバー１１上に配置されている。
【００４１】
可動体４０は押圧部４１の他に、この押圧部４１の下側に左右方向に長い楕円筒状に形成された内周壁５１を略同心状に備え、第１可動部材５２と第２可動部材５３とを上下に結合して構成され、その第２可動部材５３が案内手段４３を介して待機位置Ａと押圧位置Ｂとの間で移動自在に支持体４２に支持されている。
【００４２】
第１可動部材５２は光透過性を有する合成樹脂製であり、上側に押圧部４１を有し、この押圧部４１の下面側に凹部５４が形成されている。第２可動部材５３は遮光性を有する合成樹脂製であって、上側が第１可動部材５２の凹部５４に下側から嵌合する頂壁部５５と、この頂壁部５５から押圧方向に沿って下側に延びる内周壁５１とを一体的に備えている。
【００４３】
この第２可動部材５３は頂壁部５５の外周の複数の係合爪５６が第１可動部材５２の下側の係合部５７に係合することにより、第１可動部材５２に着脱自在に固定されている。可動体４０は第１可動部材５２と第２可動部材５３とを一体に構成してもよい。
【００４４】
押圧部４１と頂壁部５５との間には、図３、図４及び図６に示すように、光透過性又は半透過性を有する装飾シート５８と、この装飾シート５８の下側で光を乱反射させる乱反射板５９とが上下に介在されている。頂壁部５５には下向きに突出する遮光部６０が略中央に設けられ、その左右両側に光透過孔６２が形成されている。
【００４５】
遮光部６０は検知手段４６の検知用であって、上端の取り付け部６３が第２可動部材５３の頂壁部５５の下側に接着等により固定されている。なお、遮光部６０は第２可動部材５３に一体に形成してもよい。
【００４６】
支持体４２は可動体４０を囲繞する左右方向に長い楕円筒状の外周壁６４と、外周壁６４の上端から外向きに張り出す鍔部６５と、外周壁６４の下端を閉塞する底壁６６とを一体的に備えている。この支持体４２は外周壁６４が供給皿カバー１１の開口部６７に上側から挿脱自在に挿入され、供給皿カバー１１の開口部６７の外周に当接する鍔部６５と、外周壁６４に形成され且つ供給皿カバー１１の開口部６７の外周に下側から係合する係合爪６８とにより、供給皿カバー１１に着脱自在に装着されている。
【００４７】
外周壁６４は第１可動部材５２の押圧部４１の外周側に対応する大径の第１周壁部７０と、第２可動部材５３の内周壁５１の外周側に対応する小径の第２周壁部７１とを有し、その第１周壁部７０と第２周壁部７１とが段差部７２を介して上下に一体的に設けられている。
【００４８】
可動体４０の内周壁５１と支持体４２の外周壁６４との間には、図３〜図８に示すように、その周方向の略全周に規制手段４８が設けられると共に、押圧部４１の押圧中心Ｏを通る略直交方向の内、押圧中心Ｏに近い短手方向の両側に一対の案内手段４３が設けられ、押圧中心Ｏから遠い長手方向の両側に牽制手段４９と係合手段４７とが設けられている。従って、案内手段４３、牽制手段４９及び係合手段４７は、押圧部４１の押圧中心Ｏ廻りに略点対称位置に配置されており、また案内手段４３と牽制手段４９は異なる位置に別々に配置されている。
【００４９】
規制手段４８は支持体４２の外周壁６４の段差部７２の上面側に周方向に形成された規制部７４と、可動体４０の頂壁部５５の下面側の外周に周方向に形成され且つ可動体４０が押圧位置Ｂまで移動したときに規制部７４に上側から当接する被規制部７５とを備えている。なお、規制部７４、被規制部７５は周方向の略全周に設ける他、その一方又は両方を周方向の一部に部分的に設けてもよい。また規制手段４８は可動体４０の下端側に設けてもよい。
【００５０】
案内手段４３は外周壁６４の下側で第２周壁部７１から外側に凸状に突出する案内部７６と、内周壁５１から外側に凸状に突出し且つ案内部７６内に摺動自在に嵌合する被案内部７７とを有し、案内部７６と被案内部７７との上下方向の相対摺動により、可動体４０を支持体４２に対して押圧方向に移動自在に案内するようになっている。
【００５１】
案内部７６は支持体４２の規制部７４よりも下側で第２周壁部７１の内周に、被案内部７７は被規制部７５の下側で内周壁５１の外周に夫々上下方向に設けられている。案内部７６と被案内部７７との相対案内長さは可動体４０の移動距離よりも長くなっており、また案内部７６と被案内部７７との周方向の案内幅は案内長さよりも大である。なお、案内部７６と被案内部７７との相対案内長さは可動体４０の移動距離と略同等でもよいし、両者の案内幅は案内長さよりも小でもよい。
【００５２】
牽制手段４９は支持体４２の段差部７２の上側で第１周壁部７０の内周に形成された牽制部７８と、牽制部７８に対応して可動体４０に設けられ且つ押圧部４１の中心から長手方向の一方側に偏位する位置を押圧したときに、牽制部７８に上側から当接して可動体４０を所定角度内に牽制する被牽制部７９とを備えている。
【００５３】
牽制部７８は第１周壁部７０の内周に沿って平面視円弧状に形成されると共に、上外側から下内側へと傾斜する立面視傾斜状に形成されている。被牽制部７９は可動体４０の頂壁部５５と内周壁５１との外周側隅部に牽制部７８に対応して立面視傾斜状で且つ平面視円弧状に形成されている。
【００５４】
従って、牽制部７８と被牽制部７９は所定の隙間を置いて上下に対向する傾斜面を有し、押圧部４１の押圧に際して可動体４０が所定角度だけ傾いたときに、牽制部７８と被牽制部７９との傾斜面が当接して案内手段４３に過大な荷重が加わらないように可動体４０の傾きを所定角度内に牽制し、また押圧部４１を更にそれ以上押圧したときに両者の相対摺動によって可動体４０を押圧中心Ｏ側に案内するように構成されている。なお、牽制部７８と被牽制部７９との傾斜面により案内面が構成されている。
【００５５】
外周壁６４の段差部７２には、可動体４０の被牽制部７９に対応して外側へと凹入する切り欠き部８０が規制部７４の上下両側に跨がって形成されており、押圧部４１を押圧したときに牽制手段４９の被牽制部７９が切り欠き部８０に入って規制部７４と干渉しないようになっている。
【００５６】
係合手段４７は被牽制部７９の下側に下向きに形成された係合突起８１と、係合突起８１に対応して第２周壁部７１に形成され且つ係合突起８１が上下動自在に挿入された長孔状の係合部８２とを有し、押圧部４１が待機位置Ａにあるときに係合突起８１が係合部８２の上端に係合して、可動体４０を支持体４２に離脱不能に結合するようになっている。係合突起８１は第２周壁部７１の下端側から上側へと形成された一対のスリット８３により内周壁５１から分離されており、内外方向に弾性変形可能である。
【００５７】
支持体４２の底壁６６は中央側が上側へと突出する台部８４を有し、この台部８４の上側に戻しバネ４４が配置され、台部８４の下側に検知手段４６、発光体８５を有する基板８６がネジ等で着脱自在に装着されている。なお、台部８４には検知手段４６に対応する開口部８７と、発光体８５に対応する開口部８８とが形成されている。
【００５８】
検知手段４６は透過型フォトセンサ等により構成されており、上向きに開放するコ字状の本体部８９と、この本体部８９に相対向して設けられた発光部９０ａ及び受光部９０ｂとを有し、可動体４０を押圧して遮光部６０が発光部９０ａと受光部９０ｂとの間に進入して両者間を遮光したときに、受光部９０ｂが可動体４０の操作を検知するように開口部８７内に配置されている。
【００５９】
発光体８５は開口部８８、光透過孔６２を経て乱反射板５９に下側から光を照射して押圧部４１の略全体を発光させるためのものである。戻しバネ４４はコイルバネにより構成され、第２可動部材５３側のバネ受け部９１と、支持体４２の台部８４側のバネ受け部９２との間に介在されている。
【００６０】
第２演出操作手段１３はドーム型の押圧部９３を有する押しボタン式であって、複数種類の予告演出の内の第２ボタン操作演出中における操作可能期間内に、この押圧部９３を１回操作することを条件に、押圧部９３の内側の回転灯（図示省略）を作動させる第２予告演出処理が実行されるようになっている。
【００６１】
このパチンコ機において、特別図柄等の変動中に実行されるボタン操作演出には、第１ボタン操作演出と第２ボタン操作演出との二種類があり、演出図柄３３ａ〜３３ｃの変動中の予告演出抽選処理で何れに当選するかによって各ボタン操作演出が実行される。第１ボタン操作演出では、第１演出操作手段１２の操作により予告演出画像表示手段３５が所定の予告演出画像を表示し、第２ボタン操作演出では、第２演出操作手段１３の操作により回転灯が作動する。
【００６２】
第１ボタン操作演出に当選した場合には、演出図柄３３ａ〜３３ｃの変動開始と同時又はその後の所定のタイミングで第１ボタン操作演出の操作可能期間となり、予告演出画像表示手段３５にボタン未操作時画像、例えば回転する的とそれに狙いを定めた弓矢の画像が表示される（図９（ａ））と共に、報知画像表示手段３６に「チャンスボタンを連打しろ！」等の文言と楕円形の押しボタンが押されるアニメーション画像とによる第１操作誘導画像が表示される（図９（ｂ））。
【００６３】
そして、第１操作可能期間中に遊技者が第１演出操作手段１２を操作すると、検知手段４６がその操作を検知して操作信号を出力する。この第１操作可能期間中の第１演出操作手段１２の操作回数が所定回数になれば、予告演出画像表示手段３５にボタン操作時画像、例えば図９（ｃ）に示すように射られた矢が回転中の的に命中し、その後に的が停止してその命中した箇所（例えば特別遊技信頼度を示す数字）が視認可能となる画像が表示される。
【００６４】
第１演出操作手段１２は第１ボタン操作演出の際に使用する。通常、可動体４０は戻しバネ４４の付勢により待機位置Ａにあり、遮光部６０が検知手段４６から離れている。このため検知手段４６は非検知状態にある。
【００６５】
そこで、遊技者が可動体４０を戻しバネ４４に抗して下方へと押圧すると、可動体４０が支持体４２内で下方へと下降し、操作限界の押圧位置Ｂまで達したときに被規制部７５が規制部７４に当接して停止する。一方、可動体４０の下降に伴って遮光部６０が下降して、可動体４０が押圧位置Ｂに達する手前側で検知手段４６の発光部９０ａと受光部９０ｂとの間に進入して、発光部９０ａから受光部９０ｂへの光を遮光するため、検知手段４６が可動体４０の操作を検知してその操作信号を出力する。そして、検知手段４６が可動体４０の操作を検知すると、発光体８５が発光して乱反射板５９、光透過孔６２等を介して可動体４０の押圧部４１に光を照射するため、乱反射板５９での光の乱反射により押圧部４１の略全面が発光する。
【００６６】
可動体４０の押圧力を解除すれば、戻しバネ４４により可動体４０が上昇し待機位置Ａへと戻る。そして、可動体４０の上昇と一体的に遮光部６０が上昇して、検知手段４６の発光部９０ａと受光部９０ｂとの間から外れたときに、受光部９０ｂが発光部９０ａからの光を受光し、第１演出操作手段１２が待機状態に戻る。
【００６７】
可動体４０を押圧操作する際には、通常は押圧部４１の押圧中心Ｏ又はその近傍を下方へと押圧するが、遊技中の遊技者は第１操作可能期間中の限られた時間内に可動体４０を押圧する必要があり、押圧部４１の押圧中心Ｏを確認しないままで左右何れか一方、例えば図８（ａ）に示すように右に大きく離れた位置をＸ矢示方向に押圧することがある。しかし、第１演出操作手段１２はこのときにもスムーズに作動して検知手段４６から操作信号を出力することができる。
【００６８】
即ち、押圧部４１をＸ矢示方向に押圧すると、可動体４０は図８（ｂ）に示すように左側の係合手段４７を支点にして右側に傾き、右側の牽制手段４９の可動体４０側の被牽制部７９が支持体４２側の牽制部７８と当接する。そのため可動体４０は右側の牽制手段４９により所定角度内の傾きに抑えられることとなり、可動体４０と一体的に各案内手段４３の被案内部７７が案内部７６内で傾斜しても、案内部７６と被案内部７７との角部と摺動面とが近接するか、又は軽く当接する程度であり、案内部７６と被案内部７７との間に過大な負荷がかかるようことはない。
【００６９】
右側の牽制手段４９の被牽制部７９が牽制部７８に当接した後、更に押圧部４１をＸ矢示方向に押圧すると、被牽制部７９が牽制部７８の傾斜面に沿って中心側へと摺動するため、可動体４０は図８（ｃ）に示すように中心側へと移動しながら下降する。そして、可動体４０は下限の押圧位置Ｂに達すると、可動体４０は図８（ｄ）に示すように右側の被規制部７５が支持体４２の規制部７４に当接して規制される。一方、検知手段４６は可動体４０が押圧位置Ｂに達する前に被検知部を介して可動体４０の操作を検知して操作信号を出力する。
【００７０】
このように案内手段４３とは別に牽制手段４９を設けて、この牽制手段４９により可動体４０の傾きを所定角度内に牽制するようにしているため、第１操作演出手段１２全体の押圧方向の寸法の小型化を図りながら、押圧部４１を押圧したときの可動体４０のグラツキを小さくでき、軽い押圧力でスムーズに操作できる。
【００７１】
即ち、案内手段４３とは別に設けた牽制手段４９により可動体４０の傾きを所定角度内に牽制するため、押圧部４１を押圧したときの可動体４０のグラツキを小さく抑えることができる。従って、案内手段４３の案内部７６と被案内部７７との摺動面間の間隔を大きくすることが可能であり、案内手段４３での摩擦抵抗を小さくできるため、可動体４０の押圧部４１を軽い押圧力でスムーズに操作できる。
【００７２】
また牽制手段４９により可動体４０の傾きを所定角度内に牽制するために、案内手段４３の押圧方向の寸法を長くして可動体４０の傾きを規制する必要もなく、第１演出操作手段１２全体の寸法を小型化できる。
【００７３】
しかも、牽制手段４９は可動体４０の傾きを所定角度内に牽制し且つ可動体４０を中心側に案内する機能を有し、その一対の牽制手段４９が左右方向の両側にあるため、可動体４０の押圧部４１が左右方向に長い横長状であるにも拘わらず、押圧部４１の押圧中心Ｏの他、押圧中心Ｏから左右方向に離れた位置を押圧することも可能であり、押圧部４１を軽い押圧力で容易に操作することができる。
【００７４】
図１０は本発明の第２の実施形態を例示する。この実施形態では、可動体４０を待機位置Ａに付勢する戻しバネとして、押圧部４１側が大径の円錐コイルバネ４４ａが使用されている。他の構成は各実施形態と同様である。
【００７５】
このような円錐コイルバネ４４ａでは、円筒コイル状のバネに比べて胴曲りが少ないので、押圧部４１側が大径となるように組み込むことにより、押圧部４１の押圧操作時の可動体４０のグラツキを円錐コイルバネ４４ａ自体によって小さく抑えることができる。また円錐コイルバネ４４ａは密着高さを小さく設定できるため、第１演出操作手段１２の押圧方向の寸法を小さくすることもできる。
【００７６】
図１１、図１２は本発明の第３の実施形態を例示する。この実施形態では、可動体４０は上部側に楕円筒状の内周壁５１を有し、被牽制部７９よりも下側の被案内部７７と係合突起８１との間に切り欠き部９７が設けられている。被案内部７７の周方向の両側には、内側に屈曲する屈曲部７７ａが形成されている。他の構成は各実施形態と同様である。
【００７７】
このように内周壁５１に切り欠き部９７を設けてもよい。この場合には、可動体４０側の重量を軽減できると共に、材料の無駄を極力防止できる。また被案内部７７の周方向の両側に屈曲部７７ａを設けているため、被案内部７７の両側に切り欠き部９７があるにも拘わらず、被案内部７７側の強度を十分に確保できる。
【００７８】
また被牽制部７９は内周壁５１に対応しているため、被牽制部７９が牽制部７８に当接して可動体４０の傾きを牽制する場合にも、被牽制部７９側に加わる負荷に対して十分に抗することができる。しかも、支持体４２にはその全周に外周壁６４があるため、可動体４０側に切り欠き部９７があっても、発光体８５からの光の外部への拡散等を防止できると共に、支持体４２により内部構造を確実に保護することが可能である。
【００７９】
図１３、図１４は本発明の第４の実施形態を例示する。この実施形態では、案内手段４３に対応して内周壁５１に切り欠き部９７が形成されている。案内手段４３の被案内部７７は、切り欠き部９７の周方向の両側で内周壁５１から内側にＬ字状等に屈曲して形成され、また案内部７６は外周壁６４の第２周壁部７１から内側に突出する凸状に形成され、切り欠き部９７の両側の被案内部７７間に摺動自在に嵌合されている。案内部７６の外側に係合爪６８が設けられている。他の構成は各実施形態と同様である。
【００８０】
このような可動体４０の場合には、内周壁５１の短手方向の両側に切り欠き部９７があり、その切り欠き部９７の両側が被案内部７７となっているため、第１の実施形態の被案内部７７に比較して案内手段４３間のスペースを十分に確保できる。従って、戻しバネ４４に大径のバネ、例えば円錐コイルバネ等を使用することが可能である。
【００８１】
また切り欠き部９７の両側で内周壁５１を内側に屈曲させて被案内部７７としているため、被案内部７７の強度も十分に確保できる。しかも案内部７６の外側に係合爪６８を設けることによって、支持体４２の短手方向の寸法を小型化できる。
【００８２】
図１５は本発明の第５の実施形態を例示する。この実施形態では、外周壁６４を含む支持体４２、内周壁５１を含む可動体４０が略真円状に構成され、その内周壁５１と外周壁６４との間に周方向に略等配に３個の案内手段４３、牽制手段４９が配置されている。案内手段４３、牽制手段４９の具体的構成等、他の構成は各実施形態と同様である。
【００８３】
このように外周壁６４を含む支持体４２、内周壁５１を含む可動体４０が略真円状の場合にも、押圧部４１を押圧したときの可動体４０の傾きを牽制手段４９により所定角度内に牽制することができる。従って、可動体４０の押圧部４１の形状は、楕円形状、長円形状、長方形状等のように一方向に長いものに限らず、円形状、四角形状のように直交する二方向の長さが略同じ程度のものでもよい。
【００８４】
図１６〜図１８は本発明の第６の実施形態を例示する。この実施形態では、可動体４０は左右方向に長い長円状又は楕円状の押圧部４１を有し、その下側の中央部に略円筒状の内周壁５１が設けられている。支持体４２の外周壁６４には、可動体４０の押圧部４１側を囲繞する第１周壁部７０と、可動体４０の内周壁５１を囲繞する第２周壁部７１とが段差部７２を介して設けられている。
【００８５】
第１周壁部７０は可動体４０の押圧部４１に対応して左右方向に長い長円筒状又は楕円筒状であり、第２周壁部７１は内周壁５１に対応して略円筒状である。なお、内周壁５１、第２周壁部７１は押圧部４１に対応する長円状又は楕円状でもよい。
【００８６】
可動体４０の内周壁５１と支持体４２の第２周壁部７１との間には、周方向に略等間隔をおいて複数の案内手段４３が設けられ、その案内手段４３の一部に牽制手段４９が設けられている。例えば、案内手段４３は前後、左右の４箇所に設けられており、左右方向に長い押圧部４１に対応して、その左右の案内手段４３に牽制手段４９が組み込まれている。
【００８７】
各案内手段４３は第２周壁部７１側の案内部７６と、内周壁５１側の被案内部７７とを凹凸状に備え、その径方向及び周方向の相対向する摺動面の相対摺動により、可動体４０を押圧方向に摺動自在に案内するようになっている。なお、各案内手段４３の案内部７６と被案内部７７との径方向、周方向の隙間は略同じになっている。案内手段４３は径方向の対向面で摺動自在に案内するようにしてもよい。
【００８８】
牽制手段４９は案内部７６の上端部に被案内部７７側に突出する牽制部７８が設けられ、この牽制部７８に対応する被案内部７７側の摺動面が被牽制部７９となっている。牽制部７８と被牽制部７９との隙間は、案内部７６と被案内部７７との間隔よりも小さくなっており、可動体４０が所定角度傾斜したときに牽制部７８と被牽制部７９とが当接して、可動体４０を所定角度内に牽制するようになっている。
【００８９】
案内手段４３の被案内部７７には、被牽制部７９よりも上側に切り欠き部、凹部等の干渉回避部９９が設けられており、可動体４２が待機位置Ａから押圧方向に所定量（若干量）下降したときに、牽制部７８が干渉回避部９９に対応して被案内部７７と干渉しないようになっている。従って、被牽制部７９が牽制部７８を通過した後は、案内手段４３の案内部７６と被案内部７７との摺動面は牽制手段４９に関係なく摺動自在に接触可能でる。なお、係合手段４７、規制手段４８等を含む他の構成は、各実施形態と同様である。
【００９０】
この実施形態の場合にも、可動体４０は通常戻しバネ４４の付勢により待機位置Ａにある。そして、押圧部４１の押圧中心Ｏ及びその周辺近傍を押圧すれば、可動体４０が戻しバネ４４に抗しながら案内手段４３の案内により押圧位置Ｂへと摺動する。
【００９１】
また押圧部４１の押圧中心Ｏ及びその周辺近傍から外れた位置、例えば図１７の右側部分をＸ矢示方向に押圧すれば、可動体４０は戻しバネ４４に抗して二点鎖線に示すように傾斜する。しかし、右側の案内手段４３には、案内部７６の上端部にその摺動面よりも被案内部７７側に突出する牽制部７８があり、この牽制部７８が被案内部７７の被牽制部７９に当接するため、可動体４０の傾斜を所定角度内に牽制することができる。
【００９２】
可動体４２が下降して牽制部７８が被牽制部７９を通過すれば、牽制部７８が干渉回避部９９に対応して被案内部７７と干渉しなくなる。従って、その後は牽制手段４９に関係なく案内手段４３により可動体４２を押圧位置Ｂへと案内することができる。
【００９３】
このように牽制手段４９は案内手段４３の一部に組み込むことが可能である。また案内手段４３の案内部７６に被案内部７７へと突出する牽制部７８を設けることにより、案内手段４３の一部に牽制手段４９を容易に組み込むことができる。
【００９４】
なお、この実施形態では、案内部７６に凸状の牽制部７８を設けているが、被案内部７６の被牽制部７９を凸状に設けることも可能である。また凸状の牽制部７８又は被牽制部７９は案内部７６と被案内部７７との相対案内範囲の上下両端部、例えば図１７の場合には、案内部７６の上端部と被案内部７７の下端部との２箇所に設けてもよい。
【００９５】
図１９、図２０は本発明の第７の実施形態を例示する。この実施形態においても、左右両側の案内手段４３に牽制手段４９が組み込まれている。牽制手段４９は案内手段４３の案内部７６と被案内部７７との内、その案内部７６側に形成された凹溝等の干渉回避部９９と、この干渉回避部９９内の上端部に設けられた牽制部７８と、待機位置Ａで牽制部７８に対応し且つ牽制部７８の下側では干渉回避部９９内に収まる大きさの凸状の被牽制部７９とを備えている。牽制手段４９の被牽制部７９と干渉回避部９９は、案内手段４３の摺動面同士が接触したときには互いに接触しないようになっている。他の構成は第１の実施形態を含む各実施形態と同様でる。
【００９６】
この場合には、押圧部４１の押圧中心Ｏから外れた位置でＸ矢示方向に可動体４０を押圧すると、可動体４０が二点鎖線で示すように傾斜する。このとき牽制手段４９の牽制部７８と被牽制部７９とが当接するため、牽制手段４９により可動体４０の傾きを所定角度内に牽制することができる。被牽制部７９が牽制部７８を通過した後は、案内手段４３の案内部７６と被案内部７７との摺動面が接触して、可動体４０を案内する。このとき被牽制部７９は干渉回避部９９内を下方へと移動するため、案内手段４３の案内部７６と被案内部７７との接触を阻害するようなことはない。
【００９７】
このようにすれば、案内手段４３と同じ側に牽制手段４９を組み込むことも可能であり、また牽制手段４９が可動体４０の移動時に負荷となるようなこともない。
【００９８】
なお、牽制手段４９は図１９、図２０とは逆に案内手段４３の被案内部７７側に、被牽制部７９を有する干渉回避部９９を設け、案内部７６側に凸状の牽制部７８を設けてもよい。
【００９９】
図２１は本発明の第８の実施形態を例示する。図２１（ａ）及び（ｂ）は牽制部７８、被牽制部７９の内、その一方の立面視形状が傾斜状になっており、他方の立面視形状が突出円弧状になっている。また図２１（ｃ）は牽制部７８及び被牽制部７９が共に突出円弧状になっている。その他、牽制部７８、被牽制部７９の一方の立面視形状は、二以上の曲面又は傾斜面が連続する複合形状にしてもよい。
【０１００】
従って、牽制手段４９の牽制部７８、被牽制部７９は、第１の実施形態のように立面視傾斜状に限定されるものではなく、この実施形態に示すように種々の形状に変更することができる。その場合には牽制手段４９の牽制部７８、被牽制部７９は両者間の間隔を考慮しながら、案内手段４３に過大な負荷が加わらないように適宜形状を決定すればよい。
【０１０１】
以上、本発明の実施形態について詳述したが、本発明は各実施形態に限定されるものではなく、本発明の趣旨を逸脱しない範囲で種々の変更が可能である。例えば、検知手段４６は透過型フォトセンサ以外の非接触式スイッチの他、接触式スイッチ等、各種の検知スイッチ類を用いることが可能である。また被検知部は検知手段４６により検知されるものであり、遮光部６０の他、検知手段４６の種類に応じて適宜変更すればよい。
【０１０２】
操作手段１２、１３は可動体４０を所定の押圧方向に操作する形式であればよく、あらゆる押圧方向についても同様に採用可能であり、例えば上向きに押圧するような操作手段でもよい。また可動体４０は第２可動部材５３を介して支持体４２に待機位置Ａと押圧位置Ｂとの間で移動可能に支持される構成であればよく、第２可動部材５３の形状、構造等は支持体４２の形状、構造との関係で適宜変更することが可能である。
【０１０３】
可動体４０を待機位置Ａに付勢する付勢手段はコイルバネが一般的であるが、つるまきバネ、ゴムその他の弾性部材を使用してもよい。
【０１０４】
案内手段４３と牽制手段４９は周方向の異なる位置に別々に設けることが望ましいが、案内手段４３の一部に牽制手段４９を組み込んでもよい。また案内手段４３と牽制手段４９とを別々に設けるに当たっては、案内手段４３と牽制手段４９とを略同じ側に配置することも可能である。例えば、一つの案内手段４３を構成する案内部７６及び被案内部７７を周方向に所定の間隔を開けて両側に配置し、その両側の案内部７６及び被案内部７７間に、牽制手段４９の牽制部７８及び被牽制部７９を配置してもよい。
【０１０５】
更に内周壁５１を有する可動体４０、外周壁６４を有する支持体４２を例示しているが、内周壁５１、外周壁６４との一方を省略してもよい。その場合、案内手段４３、牽制手段４９は可動体４０と支持体４２との間に設ければよい。また可動体４０に内周壁５１を、支持体４２に外周壁６４を夫々設ける場合にも、必ずしも内周壁５１、外周壁６４を周方向の全周に連続状に設ける必要はなく、周方向の一部で途切れる形状でもよい。
【０１０６】
また本発明は、アレンジボール機、雀球遊技機等の各種弾球遊技機の他、スロットマシン等の弾球遊技機以外の遊技機においても同様に実施することが可能である。
【符号の説明】
【０１０７】
１２  第１操作演出手段
４０  可動体
４１  押圧部
４２  支持体
４３  案内手段
４４  戻しバネ
４６  検知手段
４９  牽制手段
５１  内周壁
６４  外周壁
７６  案内部
７７  被案内部
７８  牽制部
７９  被牽制部
Ａ  待機位置
Ｂ  押圧位置
Ｏ  押圧中心
【図１】
0006022429.tif 000002
【図２】
0006022429.tif 000003
【図３】
0006022429.tif 000004
【図４】
0006022429.tif 000005
【図５】
0006022429.tif 000006
【図６】
0006022429.tif 000007
【図７】
0006022429.tif 000008
【図８】
0006022429.tif 000009
【図９】
0006022429.tif 000010
【図１０】
0006022429.tif 000011
【図１１】
0006022429.tif 000012
【図１２】
0006022429.tif 000013
【図１３】
0006022429.tif 000014
【図１４】
0006022429.tif 000015
【図１５】
0006022429.tif 000016
【図１６】
0006022429.tif 000017
【図１７】
0006022429.tif 000018
【図１８】
0006022429.tif 000019
【図１９】
0006022429.tif 000020
【図２０】
0006022429.tif 000021
【図２１】
0006022429.tif 000022